(57)【要約】      （修正有）【課題】各端子と電子装置とを接続するリード線が互いに接触するショートの発生率を下げることができる電子装置の収容ケースを提供する。【解決手段】電子装置の収容ケースは、底板２１と底板２１の周縁に形成されるフェンス２２とによって電子装置１を収容できる収容空間２３を画成するケース部２と、フェンス２２に取り付けられ、フェンス２２の先端にあるフェンス端面から更に突起する第１の端子部３１を有する少なくとも１つの接続端子３と、を備え、接続端子３の第１の端子部３１のフェンス端面と略直交する一側面にリード保持空間が凹陥するように形成されている。【選択図】図２
0003192170.tif 000002
【実用新案登録請求の範囲】
【請求項１】
所定の設置面を有する底板と、前記底板の周縁から前記設置面が向かっている側へ突起して先端に前記設置面と略平行するフェンス端面を有するように形成されたフェンスとを有し、前記底板と前記フェンスとにより囲まれる収容空間内に電子装置を収容することができるケース部と、
前記フェンスに取り付けられ、前記フェンス端面と略直交するように前記フェンスの前記フェンス端面から更に突起する第１の端子部と、前記第１の端子部と略直交するように前記第１の端子部の先端から前記第１の端子部の一側へ湾曲するフック部とを有し、前記第１の端子部と前記フック部とによってリード保持空間を画成する少なくとも１つの接続端子と、を備えている
電子装置の収容ケース。
【請求項２】
前記第１の端子部の前記リード保持空間（３１９）に臨む前記一側の反対側に前記フェンス端面と略直交する縦平面（３１５）が形成され、前記フック部の前記フェンス端面から離れた先端に前記縦平面と略直交する先端面が形成されている
請求項１に記載の電子装置の収容ケース。
【請求項３】
前記第１の端子部（３１）は、前記一側に前記リード保持空間に臨むと共に前記フェンス端面と所定の鈍角をなす斜面（３１４）を有し、前記フック部は、前記斜面の前記フェンス端面から離れた一端から更に延伸し、前記縦平面と直交する縦断面において円弧線をなす円弧面（３１８）を有するように形成されている
請求項２に記載の電子装置の収容ケース。
【請求項４】
前記第１の端子部（３１）の前記斜面の前記フェンス端面に接する一端から、前記縦平面までの最短距離が略０．４６ｍｍであり、
前記円弧面から、前記縦平面までの最短距離が略０．２６ｍｍである
請求項３に記載の電子装置の収容ケース。
【請求項５】
前記円弧線の曲率半径は略０．１６ｍｍである
請求項３または請求項４に記載の電子装置の収容ケース。
【請求項６】
前記接続端子の前記第１の端子部の前記フェンス端面から突起する長さが０．２ｍｍ〜３ｍｍの範囲内にある
請求項１〜請求項５のいずれか１項に記載の電子装置の収容ケース。
【請求項７】
前記接続端子は、前記第１の端子部と繋がっていると共に、前記フェンス内に埋め込まれている内蔵部と、前記内蔵部と繋がっていると共に、前記フェンスの前記収容空間の反対側にある外周面から外側へ突起する第２の端子部とを更に有する
請求項２〜請求項６のいずれか１項に記載の電子装置の収容ケース。
【請求項８】
前記第２の端子部は、前記フェンスの前記収容空間の反対側にある外周面から外側へ突起してから前記フェンス端面が向かう側へ湾曲し、更に前記外側へ湾曲するように形成されている
請求項７に記載の電子装置の収容ケース。
【考案の詳細な説明】
【技術分野】
【０００１】
本考案は収容ケースに関し、特に、電子装置を収容する電子装置の収容ケースに関する。
【背景技術】
【０００２】
従来の電子装置用の収容ケースは、例えば特許文献１に開示されるものが挙げられる。図１は特許文献１に開示される収容ケースの一部切り欠き斜視断面図であり、図示のように、該従来の電子装置用の収容ケース６は本体６１を有し、本体６１は電子装置を収容できる下方開口の収容槽６１０が凹設されていると共に、複数の端子６３により貫挿されている。各端子６３の両端はそれぞれケース外に露出している第１の接続端６３１と第２の接続端６３２となり、各第２の接続端６３２で収容槽６１０内に収容される例えばノイズの除去や電気信号の拡大に用いられる電子装置とリード線を介して電気的接続するように構成されている。
【０００３】
このような電子装置用の収容ケース６は、小型化のため各端子６３の間の隙間が狭くならざるを得ず、そして各端子６３それぞれの第２の接続端６３２と収容槽６１０内に収容される電子装置を電気的に接続する各リード線を取り付ける際、各リード線が互いに接触してショートを引き起こして電子装置用の収容ケース６の生産歩留まりや信頼性を下げる恐れがある。
【０００４】
従って、このような電子装置用の収容ケースの設計に工夫を施し、収容ケースに取り付けられる各端子と収容槽内に収容される電子装置とを電気的に接続する各リード線が互いに接触することによって引き起こされるショートの発生率を下げる構成の開発は重要である。
【先行技術文献】
【特許文献】
【０００５】
【特許文献１】米国特許第６３４４７８５号明細書
【考案の概要】
【考案が解決しようとする課題】
【０００６】
上記問題点に鑑みて、本考案は収容ケースに取り付けられる各端子と収容槽内に収容される電子装置とを電気的に接続する各リード線が互いに接触することによって引き起こされるショートの発生率を下げることができる電子装置の収容ケースの提供を目的とする。
【課題を解決するための手段】
【０００７】
上記目的を達成すべく、本考案は、所定の設置面を有する底板と、前記底板の周縁から前記設置面が向かっている側へ突起して先端に前記設置面と略平行するフェンス端面を有するように形成されたフェンスとを有し、前記底板と前記フェンスとにより囲まれる収容空間内に電子装置を収容することができるケース部と、前記フェンスに取り付けられ、前記フェンス端面と略直交するように前記フェンスの前記フェンス端面から更に突起する第１の端子部と、前記第１の端子部と略直交するように前記第１の端子部の先端から前記第１の端子部の一側へ湾曲するフック部とを有し、前記第１の端子部と前記フック部とによってリード保持空間を画成する少なくとも１つの接続端子と、を備えていることを特徴とする電子装置の収容ケースを提供する。
【０００８】
上記電子装置の収容ケースにおいて、前記第１の端子部の前記リード保持空間に臨む前記一側の反対側に前記フェンス端面と略直交する縦平面（３１５）が形成され、前記フック部の前記フェンス端面から離れた先端に前記縦平面と略直交する先端面が形成されているように構成されることが好ましい。
【０００９】
上記電子装置の収容ケースにおいて、前記第１の端子部は、前記一側に前記リード保持空間に臨むと共に前記フェンス端面と所定の鈍角をなす斜面を有し、前記フック部は、前記斜面の前記フェンス端面から離れた一端から更に延伸し、前記縦平面と直交する縦断面において円弧線をなす円弧面を有するように形成されているにことが好ましい。
【００１０】
上記電子装置の収容ケースにおいて、前記接続端子の前記第１の端子部の前記斜面の前記フェンス端面に接する一端から、前記縦平面までの最短距離が略０．４６ｍｍであり、前記円弧面から、前記縦平面までの最短距離が略０．２６ｍｍであるように構成されることが好ましい。
【００１１】
上記電子装置の収容ケースにおいて、前記円弧線の曲率半径は略０．１６ｍｍであるように構成されることが好ましい。
【００１２】
上記電子装置の収容ケースにおいて、前記接続端子の前記第１の端子部の前記フェンス端面から突起する長さが０．２ｍｍ〜３ｍｍの範囲内にあるように構成されることが好ましい。
【００１３】
上記電子装置の収容ケースにおいて、前記接続端子は、前記第１の端子部と繋がっていると共に、前記フェンス内に埋め込まれている内蔵部と、前記内蔵部と繋がっていると共に、前記フェンスの前記収容空間の反対側にある外周面から外側へ突起する第２の端子部とを更に有するように構成されることが好ましい。
【００１４】
上記電子装置の収容ケースにおいて、前記第２の端子部は、前記フェンスの前記収容空間の反対側にある外周面から外側へ突起してから前記フェンス端面が向かう側へ湾曲し、更に前記外側へ湾曲するように形成されていることが好ましい。
【考案の効果】
【００１５】
上記構成によれば、本考案の電子装置の収容ケースが有する接続端子はフェンス端面と略直交するように前記フェンスの前記フェンス端面から更に突起する第１の端子部を有し、且つ該第１の端子部の前記フェンス端面と略直交する一側面にリード保持空間が凹陥するように形成されていることから、第１の端子部に巻き付けられるリード線が保持空間内に収容されるので、各接続端子に巻き付けられるリード線が互いに接触することなく取り付けることが簡単且つ素早く行われるようにすることができる。またこれにより電子装置用の収容ケースの生産歩留まりや信頼性を向上させる効果が得られる。
【図面の簡単な説明】
【００１６】
【図１】従来の電子装置用の収容ケースの一例が示されている断面図である。
【図２】本考案の電子装置用の収容ケースの構成が示されている斜視図である。
【図３】本考案の電子装置用の収容ケースの構成が示されている断面図である。
【図４】本考案の電子装置用の収容ケースが有する接続端子の第１の端子部の構成が示されている一部拡大斜視図である。
【考案を実施するための形態】
【００１７】
以下では図２〜図４を参照しながら、本考案の電子装置用の収容ケースの好ましい実施形態について詳しく説明する。
【００１８】
図２は本考案の電子装置用の収容ケースの構成が示されている斜視図であり、図３は同電子装置用の収容ケースの構成が示されている断面図であり、図４は同電子装置用の収容ケースが有する接続端子の第１の端子部の構成が示されている一部拡大斜視図である。
【００１９】
図示のように、本考案の電子装置用の収容ケースは、ケース部２と、ケース部２に取り付けられている複数の接続端子３と、各接続端子３に取付けられているリード線４とを備えている。図中では該好ましい実施形態のケース部２内に収容されている電子装置１も示されているが、電子装置１はリード線取り付けをわかりやすくするために示されるものであり、本考案の電子装置用の収容ケースの一部ではない。
【００２０】
ちなみに、本考案の電子装置用の収容ケースに収容される電子装置は、コイルとして図示されているが、本考案の電子装置用の収容ケースに収容される電子装置はこれに限定されず、必要に応じて様々な電子素子や電子装置を用いることが可能である。
【００２１】
図３に示されているように、ケース部２は所定の設置面２１０を有する底板２１と、底板２１の周縁から設置面２１０が向かっている側（図３における下側）へ突起して先端に設置面２１０と略平行するフェンス端面２２１を有するように形成されたフェンス２２とを有し、底板２１とフェンス２２とにより囲まれる収容空間２３内に電子装置１を収容することができるように構成されている。
【００２２】
図２及び図３に示されているように、ケース部２に取り付けられている複数の接続端子３は、それぞれ以下の構成を有している。即ち、１本の接続端子３は、フェンス２２のフェンス端面２２１と略直交するようにフェンス２２のフェンス端面２２１から更に突起する第１の端子部３１と第１の端子部３１と略直交するように第１の端子部３１の先端から第１の端子部の一側へ湾曲するフック部３４と、第１の端子部３１と繋がっていると共に、フェンス２２内に埋め込まれている内蔵部３２と、内蔵部３２と繋がっていると共に、フェンス２２の収容空間２３の反対側にある外周面２２２から外側へ突起する第２の端子部３３と有するように形成されており、第１の端子部３１とフック部３４とによってリード保持空間３１９が画成されている。
【００２３】
また、図２〜図４に示されているように、第１の端子部３１のリード保持空間３１９に臨む一側面（図２および図４における左上側）の反対側（図２および図４における右下側）にフェンス端面２２１と略直交する縦平面３１５が形成され、フック部３４のフェンス端面２２１から離れた先端に縦平面３１５と略直交する先端面３１６が形成されている。
【００２４】
また、リード保持空間３１９を画成するように、第１の端子部３１は前記一側面において、フェンス端面２２１と所定の鈍角をなす斜面３１４が形成され、そしてフック部３４は斜面３１４のフェンス端面２２１から離れた一端から更に延伸し、縦平面３１５と直交する縦断面において円弧線を成す円弧面３１８を有するように形成されている。
【００２５】
内蔵部３２は図３に示されるように、第１の端子部３１から底板２１側（図３における上側）へ所定の距離を延伸してから、フェンス２２の外周面２２２側に曲がるように形成されている。
【００２６】
第２の端子部３３は内蔵部３２の外周面２２２にまで到達した端部から、フェンス２２の収容空間２３の反対側である外側へ突起して所定の距離を延伸してからフェンス２２のフェンス端面２２１が向かう側（図３における下側）へ湾曲し、更に前記外側へ湾曲するように形成されている。
【００２７】
各接続端子３に取付けられて収容空間２３内に収容される電子装置１と各接続端子３とをそれぞれ電気的に接続するリード線４は、一端がケース部２の収容空間２３内に収容される電子装置１に取り付けられ、他端が各接続端子３が有する第１の端子部３１のリード保持空間３１９が形成される箇所に巻き付けられ、且つ、前記一端と前記他端との間は一直線に引っ張られるようになっている。第１の端子部３１にリード保持空間３１９が形成されているので、リード線４は第１の端子部３１のリード保持空間３１９内に収容されながらそこに簡単に巻き付けられることができるので、電子装置１と各接続端子３とを繋ぐリード線４のそれぞれは各接続端子３に巻き付けられる端部が、たとえ収容ケース全体が小型化されても、互いに接触することなく取り付けることが簡単且つ素早く行われるようにすることができる。
【００２８】
上記のように取り付けられるリード線４は、錫めっきを行うことによって耐食性や溶接性を高め、またはケース部２の収容空間２３内に絶縁材料を注入して硬化させることによって固定することができる。
【００２９】
更に、ケース部２のフェンス２２に蓋（図示せず）を取り付けることも可能である。
【００３０】
また、本考案のこの実施形態の寸法については、例えば接続端子３の第１の端子部３１のフェンス２２のフェンス端面２２１から突起する長さが０．８ｍｍである。また、図４に示されるように、接続端子３の第１の端子部３１の斜面３１４がフェンス２２のフェンス端面２２１に接する一端から、縦平面３１５までの最短距離Ｗ１が略０．４６ｍｍであり、円弧面３１８から、縦平面３１５までの最短距離Ｗ２が略０．２６ｍｍであるように、また、円弧面３１８を該円弧面３１８が縦平面３１５と直交する縦断面において成す円弧線の曲率半径を略０．１６ｍｍになるようにリード保持空間３１９を形成することができる。
【００３１】
更にまた、上記のように、この実施形態では接続端子３の第１の端子部３１のフェンス２２のフェンス端面２２１から突起する長さが０．８ｍｍに設定されているが、本考案はこれに限らず、例えば０．２ｍｍ〜３ｍｍの範囲内にあるように設定することも可能である。
【産業上の利用可能性】
【００３２】
上記構成によれば、本考案の電子装置の収容ケースが有する接続端子はフェンス端面と略直交するように前記フェンスの前記フェンス端面から更に突起する第１の端子部を有し、且つ該第１の端子部の前記フェンス端面と略直交する一側面にリード保持空間が凹陥するように形成されていることから、第１の端子部のリード保持空間に巻き付けられるリード線が保持空間内に収容されるので、各接続端子に巻き付けられるリード線が互いに接触することなく取り付けることが簡単且つ素早く行われるようにすることができ、電子装置用の収容ケースの生産歩留まりや信頼性を向上させる効果が得られる。
【符号の説明】
【００３３】
１  電子装置
２  ケース部
２１  底板
２１０  設置面
２２  フェンス
２２１  フェンス端面
２２２  外周面
２３  収容空間
３  接続端子
３１  第１の端子部
３１４  斜面
３１５  縦平面
３１６  先端面
３１８  円弧面
３１９  リード保持空間
３２  内蔵部
３３  第２の端子部
３４  フック部
４  リード線
【図１】
0003192170.tif 000003
【図２】
0003192170.tif 000004
【図３】
0003192170.tif 000005
【図４】
0003192170.tif 000006